(57)【要約】【課題】掃除機の吸引パイプ（２０）の先端に取り付けられる吸込みノズルに装着させる補助具であって、集塵動作させたときに被掃除面に吸着し過ぎないようにして、前記被掃除面上での移動を容易にし且つ前記吸引モータに対する負荷を低減させることができるようにすること。【解決手段】全体に通気性を有し且つ所定の厚みを有する被覆シート（３）から構成され、被覆シート（３）を前記吸込みノズルに脱着自在に装着させるための装着手段が設けられており、被覆シート（３）を前記吸込みノズルに装着させた状態にて吸気口（１０）に対応する被覆シート（３）の所定位置には、吸気口（１０）よりも小径な開口（３０）が形成されていること。【選択図】　図３
2004049342.tif 000002
【特許請求の範囲】
【請求項１】
掃除機の吸引パイプの先端に取り付けられ且つ、前記吸引パイプに連通する吸気口が下面に開放していると共に、前記吸気口に連通する溝部が前記下面と両側方に開放するように形成されている横長矩形状の吸込みノズルに装着させる補助具であって、
全体に通気性を有し且つ所定の厚みを有する被覆シートからなり、
前記被覆シートには、前記吸込みノズルに脱着自在に装着させるための装着手段が設けられていると共に、前記被覆シートを前記吸込みノズルに装着させた状態にて前記吸気口に対応する前記被覆シートの所定位置には、前記吸気口よりも小径な開口が形成されていることを特徴とする掃除機の吸込みノズル用補助具。
【請求項２】
請求項１に記載の掃除機の吸込みノズル用補助具において、前記被覆シートは、前記吸込みノズルの前記下面の中央域を被覆し且つ前記開口が形成された略長方形状のカバー部と、前記カバー部の長辺の両端近傍部分からそれぞれ前記長辺に対して直角方向に外方へ延長させた４本のベルト部とから構成されており、前記ベルト部を前記吸込みノズルの両長辺部側へ巻き付けたとき、相互に重なり合う前記ベルト部の先端部に前記装着手段を設ける構成とした掃除機の吸込みノズル用補助具。
【請求項３】
掃除機の吸引パイプの先端に取り付けられ且つ、前記吸引パイプの開放端に連通する吸気口が下面に開放していると共に、前記吸気口に連通する溝部が前記下面と両側方に開放するように形成されている横長矩形状の吸込みノズルに装着させる補助具であって、
前記吸込みノズルの前記吸気口の周縁部を含む両側部分に外嵌装着される一対の筒体からなり、
前記筒体は全体に通気性を有し且つ所定の厚みを有するシート部材から構成されていると共に、前記筒体には前記吸込みノズルに対して抜け止め状態に装着させるための装着手段が設けられている掃除機の吸込みノズル用補助具。
【請求項４】
請求項１から３のいずれかに記載の掃除機の吸込みノズル用補助具において、表裏２枚の網状シートと、これら網状シート間に位置し且つこれら網状シートを相互に連結させる連結繊維部とからなる三層立体構造体から構成されている掃除機の吸込みノズル用補助具。
【請求項５】
請求項１から３のいずれかに記載の掃除機の吸込みノズル用補助具において、不織布により構成されている掃除機の吸込みノズル用補助具。
【発明の詳細な説明】
【０００１】
【発明の属する技術分野】
本発明は、掃除機の吸込みノズル用補助具、特に、吸込みノズルの吸気口が被掃除面に吸い付き過ぎないようにするために吸込みノズルに装着させる補助具に関するものである。
【０００２】
【従来の技術】
図５は、掃除機の吸込みノズルを下面（１３）から見た概略斜視図である。
前記吸込みノズルは、掃除機の吸引パイプ（２）の先端に接続される筒継手（２０）と、前記筒継手（２０）に連結される横長矩形状のノズル本体（１）とから全体に略Ｔ字状体に構成されているものが一般的であり、前記ノズル本体（１）の中央部には、前記筒継手（２０）に連通するように吸気口（１０）が貫通していると共に、前記吸気口（１０）の両側には、前記吸気口（１０）に連通する溝部（１１ａ）（１１ｂ）が前記ノズル本体（１）の下面（１３）側と両側方に開放するように形成されている。又、前記下面（１３）の長辺に沿って植毛部（１２）が設けられていると共に、滑りを良くするためにローラ（１４）が具備されている構成のものが多い。
【０００３】
この種従来の掃除機では、前記ノズル本体（１）を被掃除面に当てると、前記植毛部（１２）を変形させながら前記下面（１３）が前記被掃除面に押し付けられることとなり、この状態で掃除機を吸引動作させると、吸気口（１０）に吸込み方向の空気の流れが生じると共に、溝部（１１ａ）（１１ｂ）にも吸気口（１０）に向かって空気の流れが生じる。これは、下面（１３）と被掃除面との間に、溝部（１１ａ）（１１ｂ）の両開放端部や前記植毛部（１２）やローラ（１４）の高さ分の隙間から外部の空気が吸入されるためであり、これにより、吸気口（１０）はもちろん、溝部（１１ａ）（１１ｂ）に対応する各箇所においても集塵作用が発揮されることとなる。
【０００４】
【発明が解決しようとする課題】
従来のノズル本体（１）の場合、前記被掃除面が床や畳などの場合は何ら問題はないが、被掃除面が絨毯やマット又は布団のような敷物の場合には、吸気口（１０）への吸引作用とその吸引力によって、吸気口（１０）及び溝部（１１ａ）（１１ｂ）にこれら敷物の表面の生地が吸い上げられてしまい、ノズル本体（１）の下面（１３）に敷物の表面が密着状態に張り付いてしまうことがある。このため、ノズル本体（１）の移動を困難にしたり、集塵作用を著しく低下させてしまったりする上に、吸引モータ（図示せず）に大幅に負荷がかかることとなり、前記吸引モータ自体に悪影響を及ぼしてしまうといった不都合がある。
【０００５】
本発明は、このような事情に鑑み、吸込みノズルの前記被掃除面に対する吸着力を弱めることにより、敷物の清掃の際に、使い勝手が良好で且つ前記吸引モータに対する負荷を低減させることができる吸引掃除機の吸込みノズルに装着可能な補助具を提供することを課題とする。
【０００６】
【課題を解決するための手段】
＊１項
上記課題を解決するための本発明の技術的手段は、『掃除機の吸引パイプの先端に取り付けられ且つ、前記吸引パイプに連通する吸気口が下面に開放していると共に、前記吸気口に連通する溝部が前記下面と両側方に開放するように形成されている横長矩形状の吸込みノズルに装着させる補助具であって、
全体に通気性を有し且つ所定の厚みを有する被覆シートからなり、
前記被覆シートには、前記吸込みノズルに脱着自在に装着させるための装着手段が設けられていると共に、前記被覆シートを前記吸込みノズルに装着させた状態にて前記吸気口に対応する前記被覆シートの所定位置には、前記吸気口よりも小径な開口が形成されている』ことである。
上記技術的手段は次のように作用する。
【０００７】
補助具に設けた開口が吸込みノズルの下面に開放している吸気口に対応するように位置決めして、前記補助具を吸込みノズルに装着手段を利用して装着させる。これにより、吸込みノズルの下面のうち、前記溝部の一部を含む前記吸気口の周辺域が前記補助具によって被覆される態様となる。尚、前記補助具に設けた開口の大きさは前記吸気口の内径よりも小径に設定されていることから、前記吸気口の周縁部分も前記開口の外側周縁部分で覆われる態様となる。この補助具を構成している被覆シートは通気性を有する素材により所定の厚みを有するように構成されているから、この補助具を装着させた状態の吸込みノズルを被掃除面に押し当てると、前記吸込みノズルの下面と被掃除面との間には、前記被覆シートの厚み分の隙間が生じる上に、前記被覆シートは通気性があることから、この装着状態で、掃除機本体を集塵動作させると、従来のものと同様に、吸込みノズルの吸気口に前記開口を介して吸込み方向の空気の流れが生じると共に、空気は前記補助具を介しても吸入されていくことから、前記溝部にも空気の流れが生じることとなる。この空気の流れによって前記吸気口へ集塵されることとなる。このように、補助具を具備させても集塵機能は発揮されるが、被掃除面は前記吸込みノズルの下面に対して間接的に接することとなり、吸気口の周縁も被覆シートで覆われていることから、前記下面を被掃除面に押し付けても、前記吸気口に被掃除面が密着することがなく、前記被掃除面に対する吸込みノズルの吸着力は弱まるものとなる。
【０００８】
＊２項
上記１項において、『前記被覆シートは、前記吸込みノズルの前記下面の中央域を被覆し且つ前記開口が形成された略長方形状のカバー部と、前記カバー部の長辺の両端近傍部分からそれぞれ前記長辺に対して直角方向に外方へ延長させた４本のベルト部とから構成されており、前記ベルト部を前記吸込みノズルの両長辺部側へ巻き付けたとき、相互に重なり合う前記ベルト部の先端部に前記装着手段を設ける構成とした』ものでは、前記開口と前記吸気口とを合わせると共に、前記カバー部の長辺を吸込みノズルの長辺に合わせるようにして前記被覆シートを吸込みノズルの下面にあてがい、各ベルト部を吸込みノズルの上部側へ巻き付け、その先端部相互を重ね合わせて、装着手段で止着させれば、補助具を吸込みノズルに装着させることができる。
【０００９】
＊３項
上記課題と同様の課題を解決するための本発明の他の技術的手段は、『掃除機の吸引パイプの先端に取り付けられ且つ、前記吸引パイプの開放端に連通する吸気口が下面に開放していると共に、前記吸気口に連通する溝部が前記下面と両側方に開放するように形成されている横長矩形状の吸込みノズルに装着させる補助具であって、
前記吸込みノズルの前記吸気口の周縁部を含む両側部分に外嵌装着される一対の筒体からなり、
前記筒体は全体に通気性を有し且つ所定の厚みを有するシート部材から構成されていると共に、前記筒体には前記吸込みノズルに対して抜け止め状態に装着させるための装着手段が設けられている』ことである。
【００１０】
このものでは、補助具は一対の筒体から構成されていると共に、これら筒体を横長の吸込みノズルの両端からそれぞれ外装させる。前記筒体は、それぞれ吸気口の対向する位置にある周縁部分から溝部を被覆する態様となり、この装着状態にて、集塵動作させると、上記した１項と同様な作用により、吸気口へ集塵されるが、吸込みノズルの下面に被掃除面が直接吸い付くことがない。
【００１１】
上記したような、所定に厚みを有する補助具を構成するために、補助具を構成する素材としては、次の４項に示すように、『表裏２枚の網状シートと、これら網状シート間に位置し且つこれら網状シートを相互に連結させる連結繊維部とからなる三層立体構造体から構成されている』ものを採用するか、又は、５項に示すように、『不織布製とした』ものを採用すれば良い。
【００１２】
【発明の効果】
本発明は、上記構成であるから次の特有の効果を有する。
掃除機の吸込みノズルに本発明の補助具を装着させることにより、吸込みノズルの下面と被掃除面との間には被覆シートが介在される態様となるため、前記吸込みノズルの被掃除面に対する吸着力が弱まり、前記被掃除面が前記吸込みノズルの下面に密着することがない。よって、前記被掃除面が絨毯やマット又は布団のような敷物の場合でも、これら敷物の表面が吸込みノズルの下面に直接吸着されないので、吸込みノズルを前記敷物上で移動させ易く、使い勝手が良好となる。又、前記吸引モータに対しても必要以上の負荷がかかることがないから、モータに悪影響を及ぼすこともない。
【００１３】
さらに上記の効果に加えて、２項においては、補助具の吸込みノズルへの装着が容易となる上に、補助具に設けた開口を吸込みノズルの吸気口に確実に合わせることができる。
【００１４】
３項においては、一対の筒体を吸込みノズルの両端から外装させるだけで補助具を装着させることができるから、補助具の吸込みノズルへの取り付けが一層容易なものとなる。
【００１５】
【発明の実施の形態】
次に、上記した本発明の実施の形態を図面に従って詳述する。
図１に示すものは、本発明の第１番目の実施の形態の補助具の展開図である。
この実施の形態の補助具は、横長長方形状のカバー部（３１）とカバー部（３１）の長辺の両端からそれぞれ前記長辺に対して直角方向に突出する４本のベルト部（３２ａ）（３２ｂ）（３３ａ）（３３ｂ）とが具備されるように略Ｈ字状に裁断された被覆シート（３）とする。
【００１６】
前記被覆シート（３）の周縁部にはパイピングが施されていると共に、前記カバー部（３１）の一方の長辺から突出している２本のベルト部（３２ａ）（３３ａ）の先端の一方面には、略正方形状に裁断された面ファスナーの雄部（３４）がそれぞれ装着されており、他方の長辺から突出しているベルト部（３２ｂ）（３３ｂ）の他方面にはその略全域を被覆するような長方形状に裁断された面ファスナーの雌部（３５）が装着されている。又、カバー部（３１）の中央部には、縦長略長方形状の開口（３０）が形成されている。
【００１７】
上記被覆シート（３）は、図２の断面部分に示すように、合成樹脂繊維製の表裏二枚のメッシュ状生地（３６）と、同じく合成樹脂繊維製で且つこれらメッシュ状生地（３６）間を所定の間隔を介して連結させている連結糸（３７）とから編成された三層構造に構成されており、全体の肉厚は約５ｍｍ程度に設定されているものとする。
【００１８】
この被覆シート（３）を、図３に示すように、前記開口（３０）がノズル本体（１）の吸気口（１０）に対応するように、カバー部（３１）をノズル本体（１）の下面（１３）に添設させると共に、前記ベルト部（３２ａ）（３２ｂ）（３３ａ）（３３ｂ）を、ノズル本体（１）の上方へ巻き上げ、図２に示すように、ベルト部（３２ａ）（３３ａ）に具備させた面ファスナーの雄部（３４）を、ベルト部（３２ｂ）（３３ｂ）の面ファスナーの雌部（３５）のうち、前記ノズル本体（１）の大きさに応じた所定位置に止着させる。これにより、被覆シート（３）はノズル本体（１）に抜け止め状態に装着されることとなる。
【００１９】
尚、開口（３０）の短辺長さはノズル本体（１）の吸気口（１０）の直径よりも小さく設定されていることから、被覆シート（３）を装着した状態においては、吸気口（１０）の両側縁部分は被覆シート（３）によって一部被覆された態様となっている。
【００２０】
この被覆シート（３）を装着させた状態にて、ノズル本体（１）をマットや布団等の敷物（４）の表面に圧接させると、図２に示すように、ノズル本体（１）の下面（１３）と敷物（４）の表面との間には被覆シート（３）のカバー部（３１）の部分が介在されることとなる。この状態で掃除機本体（図示せず）のスイッチを入れて集塵動作させると、ノズル本体（１）の吸気口（１０）に、補助具の開口（３０）を介して、吸込み方向の空気が流れるが、吸気口（１０）の周縁下方には被覆シート（３）が介在される構成としているため、吸気口（１０）の開放端が敷物（４）に直接吸い付かない。又、前記被覆シート（３）は、上記したようなメッシュ状生地（３６）と連結糸（３７）とから構成されているため、通気性がよく、前記吸気口（１０）への空気の吸入に伴って、外部の空気は被覆シート（３）を介して下面（１３）の下方へ取り入れられ、溝部（１１ａ）（１１ｂ）にも吸気口（１０）への空気の流れが生じることとなる。これにより、敷物（４）の表面の塵芥はノズル本体（１）に集塵されることとなる。尚、前記吸気口（１０）に続く溝部（１１ａ）（１１ｂ）の一部分にも被覆シート（３）のカバー部（３１）を被覆させていることから、溝部（１１ａ）（１１ｂ）が敷物（４）の表面に直接吸着することもない。
【００２１】
このように、被覆シート（３）を装着させることによって，敷物（４）の表面に対するノズル本体（１）の集塵機能は十分発揮させることができるが、ノズル本体（１）の下面（１３）が敷物（４）の表面に吸着し過ぎることがないため、吸気口（１０）への吸引力によって敷物（４）が浮き上がってくる不都合がなく、敷物（４）上におけるノズル本体（１）の移動がスムーズに行える。
【００２２】
図４に示したものは、第２番目の実施の形態の補助具を示す説明図である。
この実施の形態のものでは、補助具は一対の筒体（２１）（２２）から構成されており、両筒体（２１）（２２）は、一本のゴム製の連結帯（２３）によって連結されているものとする。
【００２３】
このものでは、まず、一方の筒体（２１）をノズル本体（１）の一端から外装させた後に、連結帯（２３）を筒継手（２０）又は吸引パイプ（２）に巻きつけ、連結帯（２３）の弾性力を利用して、他方の筒体（２２）をノズル本体（１）の他端まで引っ張って、前記ノズル本体（１）の他端から外装させれば、補助具の装着が完了する。これにより、ノズル本体（１）の、吸気口（１０）の両側所定域（溝部を含む）が前記筒体（２１）（２２）によって被覆された態様となる。このとき、ノズル本体（１）の吸気口（１０）の両周縁まで、筒体（２１）（２２）によって被覆されるように、筒体（２１）（２２）の大きさ及び連結帯（２３）の弾性力は設定されているものとする。
【００２４】
尚、この実施の形態の補助具も、前記第１番目の実施の形態のものと同様、メッシュ状生地（３６）と連結糸（３７）からなる樹脂製の三層構造の被覆シートによって構成すれば、通気性を有する筒体（２１）（２２）とすることができ、筒体（２１）（２２）の通気性を利用して、集塵機能を発揮させることがきる上に、ノズル本体（１）の下面（１３）と布団等の敷物敷物（４）の表面との間には筒体（２１）（２２）が介在されることとなって、必要以上に下面（１３）に敷物（４）がくっついて来ない。
【００２５】
尚、上記各実施の形態のものは、補助具を構成するシートとして、メッシュ状生地（３６）と連結糸（３７）から構成された三層構造によるシートを採用したが、所定の肉厚と通気性を有するものであれば、この種シートに代えて、不織布やスポンジ体又は布体等からなるシートを採用することも可能である。
【図面の簡単な説明】
【図１】本発明の第１番目の実施の形態の補助具の展開図。
【図２】本発明の第１番目の実施の形態の補助具を掃除機の吸引ノズルに装着させた状態を示す参考側面図。
【図３】本発明の第１番目の実施の形態の補助具を掃除機の吸引ノズルに装着させた状態における吸込みノズルの下面を示す説明図。
【図４】本発明の第２番目の実施の形態の補助具を掃除機の吸引ノズルに装着させた状態を示す説明図。
【図５】一般的な掃除機の吸込みノズルの下面を示す概略斜視図。
【符号の説明】
（１）　・・・・・・ノズル本体
（１０）・・・・・・吸気口
（１１ａ）（１１ｂ）・・・溝部
（２）　・・・・・・吸引パイプ
（３）　・・・・・・被覆シート
（３０）・・・・・・開口
（３２ａ）（３２ｂ）（３３ａ）（３３ｂ）・・・装着手段（ベルト部）
【図１】
2004049342.tif 000003
【図２】
2004049342.tif 000004
【図３】
2004049342.tif 000005
【図４】
2004049342.tif 000006
【図５】
2004049342.tif 000007